(57)【要約】  本発明は、液体クロマトグラフィー質量分析を使用することにより、製造、ろ過又は保管中にバイオ医薬生成物に一定の濃度を超えて取り込まれた抽出性物質の存在又は不在を検証する。本明細書に開示される方法を用いて、代用溶媒系ではなく、実際のバイオ医薬生成物において抽出性物質の存在を検出することができる。実際の薬物生成物における抽出性物質の検出は、ヒト又は動物患者に取り込まれる可能性のある浸出性物質プロファイルの正確な内容を提供する。一実施形態において、抽出性物質は、バイオ医薬生成物のろ過によって取り込まれる。
2010537196.tif 000002
【特許請求の範囲】
【請求項１】
バイオ医薬生成物中の抽出性物質を検出する方法であって、液体クロマトグラフィー質量分析を使用することにより、前記バイオ医薬生成物の製造中に取り込まれた抽出性物質の存在を検出することを含む、方法。
【請求項２】
前記抽出性物質が、前記バイオ医薬生成物のろ過によって取り込まれたろ過抽出性物質である、請求項１に記載の方法。
【請求項３】
バイオ医薬生成物中の抽出性物質を検出する方法であって、
（ａ）
ｉ）抽出性物質を含有しないバイオ医薬生成物の基準試料を入手することと、
ｉｉ）抽出性物質を含有する標準物質を前記基準試料に添加することと、
ｉｉｉ）液体クロマトグラフィーによって前記基準試料を分離することと、
ｉｖ）所定時間にわたり前記基準試料を排液部に排流し、抽出性物質の検出にマトリクス妨害を引き起こす前記基準試料中の夾雑物を除去することと、
ｖ）残りの基準試料を質量分析器によって処理して基準質量スペクトルを得ること
を含む、基準試料を調製するステップと、
（ｂ）
ｉ）抽出性物質を含有し得るバイオ医薬生成物の被験試料を入手することと、
ｉｉ）液体クロマトグラフィーによって前記被験試料を分離することと、
ｉｉｉ）所定時間にわたり前記被験試料を排液部に排流し、抽出性物質の検出にマトリクス妨害を引き起こす前記被験試料中の夾雑物を除去することと、
ｉｖ）残りの被験試料を質量分析器によって処理して被験質量スペクトルを得ること
を含む、被験試料を調製するステップと、
（ｃ）前記被験試料の質量スペクトルを前記基準試料の質量スペクトルと比較することにより、前記被験試料中の抽出性物質を検出するステップ
を含む、方法。
【請求項４】
検出された前記抽出性物質を定量することをさらに含む、請求項３に記載の方法。
【請求項５】
マトリクス妨害を引き起こす前記抽出性物質が、医薬品有効成分；緩衝液；塩；防腐剤；可溶化剤；キレート剤；酸；塩基；糖；アミノ酸；溶媒、タンパク質及びこれらの組み合わせからなる群から選択される、請求項３に記載の方法。
【請求項６】
前記抽出性物質が、前記バイオ医薬生成物のろ過によって取り込まれたろ過抽出性物質である、請求項３に記載の方法。
【請求項７】
前記バイオ医薬生成物が、ポリフッ化ビニリデン微孔膜とポリプロピレン支持膜とを含むフィルタによってろ過された、請求項３に記載の方法。
【請求項８】
前記バイオ医薬生成物が、ホウケイ酸ガラス繊維微孔膜とポリプロピレン支持膜とを含むフィルタによってろ過された、請求項３に記載の方法。
【請求項９】
前記バイオ医薬生成物が、ポリプロピレン微孔膜とポリプロピレン支持膜とを含むフィルタによってろ過された、請求項３に記載の方法。
【請求項１０】
前記バイオ医薬生成物が、ポリテトラフルオロエチレン微孔膜とポリプロピレン支持膜とを含むフィルタによってろ過された、請求項３に記載の方法。
【請求項１１】
前記バイオ医薬生成物が、親水性ポリエーテルスルホン微孔膜とポリプロピレン支持膜とを含むフィルタによってろ過された、請求項３に記載の方法。
【請求項１２】
前記バイオ医薬生成物が、超低密度ポリエチレン；ポリエチレンビニルアルコールコポリマー；及びエチレン酢酸ビニルからなる加工容器フィルムと接触した、請求項３に記載の方法。
【請求項１３】
最初の１０分間の試料が排液部に排流された後に、残りの試料が質量分析器によって処理される、請求項７に記載の方法。
【請求項１４】
バイオ医薬生成物中のろ過抽出性物質を検出する方法であって、液体クロマトグラフィー質量分析（ＬＣＭＳ）を使用することにより、バイオ医薬生成物中の、ろ過によって取り込まれた抽出性物質の存在を検出することを含み、ろ過抽出性物質の固有のイオンが検出される、方法。
【請求項１５】
バイオ医薬生成物中のろ過抽出性物質を検出する方法であって、液体クロマトグラフィー質量分析（ＬＣＭＳ）を使用することにより、バイオ医薬生成物中の、ろ過によって取り込まれた抽出性物質の存在を検出することを含み、約３２９．２Ｍ／Ｚ及び約３５７．２Ｍ／Ｚの質量を有するろ過抽出性物質が検出される、方法。
【請求項１６】
バイオ医薬生成物中のろ過抽出性物質を検出する方法であって、液体クロマトグラフィー質量分析（ＬＣＭＳ）を使用することにより、バイオ医薬生成物中の、ろ過によって取り込まれた抽出性物質の存在を検出することを含み、ろ過抽出性物質の固有の滞留時間が検出される、方法。
【請求項１７】
バイオ医薬生成物中のろ過抽出性物質を検出する方法であって、液体クロマトグラフィー質量分析（ＬＣＭＳ）を使用することにより、バイオ医薬生成物中の、ろ過によって取り込まれた抽出性物質の存在を検出することを含み、約１１．５分及び約１２．４分の平均滞留時間を有するろ過抽出性物質が検出される、方法。
【請求項１８】
バイオ医薬生成物中のろ過抽出性物質を検出する方法であって、
（ａ）
ｉ）ろ過によって取り込まれる抽出性物質を含有しないバイオ医薬生成物の基準試料を入手することと、
ｉｉ）抽出性物質を含有する標準物質を前記基準試料に添加することと、
ｉｉｉ）液体クロマトグラフィーによって前記基準試料を分離することと、
ｉｖ）所定時間にわたり前記基準試料を排液部に排流し、ろ過抽出性物質の検出にマトリクス妨害を引き起こす前記基準試料中の夾雑物を除去することと、
ｖ）残りの基準試料を質量分析器によって処理して基準質量スペクトルを得ることと
を含む、基準試料を調製するステップと、
（ｂ）
ｉ）ろ過によって取り込まれた抽出性物質を含有し得るバイオ医薬生成物の被験試料を入手することと、
ｉｉ）液体クロマトグラフィーによって前記被験試料を分離することと、
ｉｉｉ）所定時間にわたり前記被験試料を排液部に排流し、ろ過抽出性物質の検出にマトリクス妨害を引き起こす前記被験試料中の夾雑物を除去することと、
ｉｖ）残りの被験試料を質量分析器によって処理して被験質量スペクトルを得ること
を含む、被験試料を調製するステップと、
（ｃ）前記被験試料の質量スペクトルを前記基準試料の質量スペクトルと比較することにより、前記被験試料中のろ過抽出性物質を検出するステップ
を含む、方法。
【発明の詳細な説明】
【技術分野】
【０００１】
関連出願の相互参照
本願は、２００７年８月２４日出願の米国仮特許出願第６０／９６６，０６５号明細書の利益を主張する。その教示の全体は、参照により本明細書に援用される。
【背景技術】
【０００２】
フィルタ装置は、バイオ医薬生成物から粒子及び微生物を除去したり、又はタンパク質を精製したりするために広範に用いられている。ろ過中、フィルタ装置の材料が生成物中に抽出され、その効力及び安全性に影響を及ぼし得る。ＦＤＡは、ヒト用及び動物用の双方の薬物生成物について、ろ過抽出性物質を評価するよう求めている。
【０００３】
ろ過抽出性物質は、低濃度のオリゴマーと多様な物理的及び化学的特性の添加剤とから主に構成される複合的な混合物である。他のバイオ医薬生成物成分のほうがより高濃度であるため、ろ過抽出性物質の分析シグナルがマスキングされ、従ってその存在を検出することができなくなる。従来は、モデルストリームアプローチ（Ｍｏｄｅｌ  Ｓｔｒｅａｍ  Ａｐｐｒｏａｃｈ）（Ｓｔｏｎｅ，Ｔ．Ｅ．；Ｇｏｅｌ，Ｖ．；Ｌｅｓｚｃｚａｋ，Ｊ．Ｐｈａｒｍａｃｅｕｔｉｃａｌ  Ｔｅｃｈ．１９９４，１１６−１３０）を使用して、ろ過工程後に存在する抽出性物質を調べる。この方法においては、フィルタ装置をモデル溶媒に供することで、生成物溶液の特定の化学効果を刺激する。この原理に基づき、フィルタ装置が曝露され得る極度の環境（高ｐＨ若しくは低ｐＨ、高塩濃度、又は有機溶媒）を代表するが、しかしバイオ医薬生成物の実際の含有物とは一致しないモデル溶媒が選択される。ろ過抽出性物質の含有物を最大化した攻撃的な条件下に、「最悪のシナリオ」が作成され得る。試験手順のなかでモデル溶媒中の抽出性物質の存在を検出するには、液体クロマトグラフィーＵＶ検出法（ＬＣＵＶ）、ガスクロマトグラフィー質量分析法（ＧＣＭＳ）及びフーリエ変換赤外分光光度計（ＦＴＩＲ）などの分析技法が用いられる。
【発明の概要】
【課題を解決するための手段】
【０００４】
本発明は、液体クロマトグラフィー質量分析を使用することにより、バイオ医薬生成物中の抽出性物質又は浸出性物質（「抽出性物質」）などの夾雑物、例えば、バイオ医薬生成物のろ過によって取り込まれるろ過抽出性物質、又はプラスチックなどの、バイオ医薬生成物の製造及び加工において生成物の接触する材料（又は表面）から発生し得る他の抽出性物質の存在を検出する。現行の抽出性物質の試験技術と対照的に、本明細書に開示される方法を用いると、モデル溶媒系を使用するのではなく、実際のバイオ医薬生成物においてろ過抽出性物質及び他の抽出性物質の存在を検出することができる。実際の薬物生成物中のろ過抽出性物質及び他の抽出性物質を検出することで、加工されたバイオ医薬生成物によってヒト又は動物患者に取り込まれる可能性のある抽出性物質プロファイルの正確な特性決定がもたらされる。
【０００５】
本発明の一実施形態は、いかなる抽出性物質も含まないバイオ医薬生成物の基準試料を調製することによってバイオ医薬生成物中の抽出性物質を検出する方法であり、その基準試料に標準抽出性物質が添加される。次に、液体クロマトグラフィー（ＬＣ）によって基準試料が分離される。分離後、試料は所定時間にわたり排液部に排流され、抽出性物質の検出にマトリクス妨害を引き起こす基準試料中の成分が除去される。残りの基準試料を質量分析器によって処理すると、基準質量スペクトルが得られる。同様に、被験試料が調製される。被験試料は、バイオ医薬生成物のろ過又はその製造プロセスによって取り込まれた抽出性物質を含有し得るバイオ医薬生成物である。被験試料は液体クロマトグラフィーを用いて分離される。分離後、被験試料は所定時間にわたり排液部に排流され、抽出性物質の検出にマトリクス妨害を引き起こす被験試料中の成分が除去される。残りの被験試料を質量分析器によって処理すると、被験質量スペクトルが得られる。被験試料の質量スペクトルは基準試料の質量スペクトルと比較され、被験試料における抽出性物質の存在又は不在が検証される。一実施形態において、抽出性物質は、バイオ医薬生成物のろ過によって取り込まれるろ過抽出性物質である。別の実施形態において、抽出性物質は、プラスチックなどの、バイオ医薬生成物又は中間物質の製造及び加工に使用される機器、材料又は表面から浸出し得る任意のものであり得る。特に好ましい実施形態において、ろ過抽出性物質は、ポリプロピレン（ＰＰ）支持膜又はポリフッ化ビニリデン（ＰＶＤＦ）微孔膜（例えば、Ｄｕｒａｐｏｒｅ（登録商標）（Ｍｉｌｌｉｐｏｒｅ（登録商標）Ｃｏｒｐｏｒａｔｉｏｎ）の商品名で市販されているフィルタ及び膜）に由来し得る。
【０００６】
本発明の別の実施形態において、ＬＣＭＳによってバイオ医薬生成物中に存在する抽出性物質の分量を測定することができる。
【０００７】
本発明の別の実施形態は、ろ過抽出性物質の固有の滞留時間を用いた、液体クロマトグラフィー質量分析（ＬＣＭＳ）を使用してろ過抽出性物質を検出する方法に関する。さらなる実施形態は、約１１．５分及び約１２．４分の平均滞留時間を用いることである。
【０００８】
本発明の別の実施形態は、液体クロマトグラフィー質量分析（ＬＣＭＳ）を使用してろ過抽出性物質の固有のイオンを検出する方法に関する。さらなる実施形態は、約３２９．２及び約３５７．２Ｍ／Ｚでイオンを検出することである。
【０００９】
本発明の別の実施形態において、試料はＬＣによって分離され、次に所定時間にわたり排液部に排流されてから、ＭＳによって処理される。本発明の別の実施形態において、ＬＣ分離後に試料が排液部に排流される時間の長さは、用いられるフィルタのタイプ、滅菌及びろ過条件、並びにバイオ医薬生成物の含有物に依存する。別の実施形態において、排流は、そのフィルタに固有の目的とする最初の標的抽出性化合物がＬＣ工程から溶離される前の、可能な限り遅い時点で行われるべきである。本発明の別の実施形態において、所定時間は最長１０分である。別の実施形態において、排液部への排流時間は１０分である。
【００１０】
本発明の別の実施形態において、マトリクス妨害を引き起こす成分は、医薬品有効成分；緩衝剤；塩；防腐剤；可溶化剤；キレート剤；酸；塩基；糖；タンパク質、ペプチド、及びこれらの組み合わせからなる群から選択される。
【００１１】
上記は、添付の図面に示されるとおりの、本発明の例示的実施形態についての以下のより詳細な説明から明らかとなるであろう。
【図面の簡単な説明】
【００１２】
【図１Ａ】液体クロマトグラフィー／質量分析技法に従来の注入バルブが使用されるときの液体のフローパターンの概略図であり、注入バルブは「排液」設定となっている。
【図１Ｂ】図１Ａの従来の注入バルブが「供給」設定に切り換えられたときの液体のフローパターンの概略図である。
【図２Ａ】本発明の実施形態に係る液体クロマトグラフィー排流装置を通じた液体のフローパターンの概略図であり、排流装置は「排液」設定となっている。
【図２Ｂ】本発明の実施形態に係る液体クロマトグラフィー排流装置を通じた液体のフローパターンの概略図であり、排流装置は「供給」設定となっている。
【図３】対照のクロマトグラムに重ね合わせたろ過標準抽出性物質の液体クロマトグラフィー分離工程からの基準ピーククロマトグラムである。
【図４】標準物質の液体クロマトグラフィー工程のクロマトグラムにおいて同定された２つのピークからの質量スペクトルである。
【図５】標準抽出性物質、小分子ベースの薬物生成物、及び標準抽出性物質をスパイクした小分子ベースの薬物生成物のクロマトグラムを並べ合わせたものである。
【図６】標準抽出性物質、巨大分子ベースの薬物生成物、及び標準抽出性物質をスパイクした巨大分子ベースの薬物生成物のクロマトグラムを並べ合わせたものである。
【発明を実施するための形態】
【００１３】
以下には、本発明の例示的実施形態が記載される。本明細書に引用される全ての特許、公開出願及び参考文献の教示は、全体として参照により援用される。
【００１４】
Ｆｏｏｄ  ａｎｄ  Ｄｒｕｇ  Ａｄｍｉｎｉｓｔｒａｔｉｏｎ（ＦＤＡ）は、ヒト又は動物への使用を目的とした薬物の認可プロセスにおいて、ろ過抽出性物質を評価するよう求めている。ＦＤＡによれば、フィルタ装置からのろ過抽出性物質を抽出するために使用する溶媒は、理想的には薬物生成物それ自体であり、従って同じ定量抽出プロファイルが得られる（Ｇｕｉｄａｎｃｅ  ｆｏｒ  Ｉｎｄｕｓｔｒｙ：“Ｔｈｅ  Ｃｏｎｔａｉｎｅｒ  Ｃｌｏｓｕｒｅ  Ｓｙｓｔｅｍｓ  ｆｏｒ  Ｐａｃｋａｇｉｎｇ  Ｈｕｍａｎ  Ｄｒｕｇｓ  ａｎｄ  Ｂｉｏｌｏｇｉｃｓ．”１９９９；Ａｔｔａｃｈｍｅｎｔ  Ｃ：Ｅｘｔｒａｃｔｉｏｎ  Ｓｔｕｄｉｅｓ）。しかしながら、実際のバイオ医薬生成物溶液でろ過抽出性物質の検出を達成することは困難で、その主な理由は、ろ過された薬物生成物中のろ過抽出性物質の濃度が、多くの場合に溶液の他の成分より数桁小さいことである。この分析上の障害を回避するため、現行のろ過抽出性物質の検出方法は、モデルストリームアプローチによって実現されている（Ｓｔｏｎｅ，Ｔ．Ｅ．；Ｇｏｅｌ，Ｖ．；Ｌｅｓｚｃｚａｋ，Ｊ．Ｐｈａｒｍａｃｅｕｔｉｃａｌ  Ｔｅｃｈ．１９９４，１１６−１３０）。この方法では、ろ過装置を極端な化学条件に供するための代用溶媒系が用いられ、これは必ずしもバイオ医薬生成物の条件を代表するものではない。代替溶媒を使用する目的は、最悪のシナリオを生じさせることで、所与のフィルタ装置からの可能性のある全ての抽出性物質を同定することである。モデルストリームアプローチは有用な情報を提供するが、これを使用してヒト又は動物に用いられるバイオ医薬生成物中に存在する実際のろ過抽出性物質を検出することはできない。バイオ医薬生成物中に実際に存在するろ過抽出性物質を検出することができれば、薬物の安全性及び効力を確保するのに役立つであろう。
【００１５】
本発明は、モデル溶媒系ではなく、実際のバイオ医薬生成物におけるろ過抽出性物質の検出を可能にする方法を開示する。本方法は、液体クロマトグラフィー質量分析（ＬＣＭＳ）を利用して、バイオ医薬生成物のろ過によって取り込まれた抽出性物質に固有のイオンを検出する。以下の例においてろ過抽出性物質を検出するための本発明の方法が示されるが、それらの方法は、概して、製造又は加工中にバイオ医薬生成物に取り込まれる任意の抽出性物質、例えば、バイオ医薬生成物と接触する、浸出する可能性を有するフィルタハウジング又は他の機器からのプラスチック浸出性物質などに適用することが可能である。従って本発明の方法は、概してバイオ医薬生成物中の、抽出性物質の検出を可能とする。
【００１６】
ＬＣＵＶ及びＦＴＩＲなどの従来の方法は、感度が限られていることか、又は激しいマトリクス妨害のいずれかに起因して、バイオ医薬生成物中で直接、抽出性物質を検出することは不可能である。しかしながら、ここで、マトリクス妨害を低減又は排除するための方法及びシステムが見出されたことから、本発明の方法に従えば抽出性物質の検出はバイオ医薬生成物中で直接、実現することができる。マトリクス妨害の一因となるバイオ医薬生成物中の成分を低減又は除去することで、そうでなければ妨害成分によってマスキングされてしまうであろう低レベル又は痕跡量レベルの抽出性物質を、質量分析法を使用して検出することが可能となる。本発明の方法を適用することにより、これからはバイオ医薬生成物中のろ過抽出性物質を検出することが可能となり、従って、いまだ対処されていないＦＤＡに対する工業試験及び報告の要求事項が、効果的に提供される。
【００１７】
本明細書に記載される方法は、バイオ医薬生成物中の夾雑物の検出、同定、及び場合により定量に有用であり、バイオ医薬生成物は、抽出性物質、浸出性物質又は不純物を含有し得る。抽出性物質は、溶媒の存在下にあるとき生成物が接触する材料のエラストマー又はプラスチック成分から抽出され得る化合物である。浸出性物質は、生成物が接触する材料のエラストマー又はプラスチック成分から調合物中に浸出する化合物である。不純物は、バイオ医薬生成物中に存在するか、又はバイオ医薬生成物に取り込まれ得る化合物である。本明細書に記載されるとおり、用語「抽出性物質」は、抽出性物質、浸出性物質又は不純物を含む混入化合物を網羅することが意図される。議論を簡単にするため、本発明の方法は抽出性物質に関連して説明されるが、浸出性物質及び不純物もまた企図される。抽出性物質は、オリゴマーと多様な物理的及び化学的特性の添加剤とから主に構成される複合的な混合物で、多くの場合にバイオ医薬生成物の任意の他の要素と比べてはるかに低い濃度で存在するため、その存在を検出することは困難である。ＦＤＡは、バイオ医薬生成物の安全性及び効力に対する影響について、抽出性物質を評価するよう求めている。
【００１８】
バイオ医薬生成物は、ヒト又は動物に用いられる薬物生成物を含む。バイオ医薬生成物は、医薬品有効成分（ＡＰＩ）と賦形剤とからなる。ＡＰＩは、疾患の診断、治癒、緩和、治療、若しくは予防において薬理活性又は他の直接的な効果を付与したり、又は人間若しくは動物の体の構造若しくは任意の機能に作用したりすることを目的とした任意の成分である。用語「ＡＰＩ」は、特定の活性又は効果を付与することを目的とした、薬物生成物の製造において化学的変化を受け、修飾形態で薬物生成物中に存在し得る成分を含む。本発明で用いるのに好適なＡＰＩの例としては、限定はされないが、有機小分子、有機巨大分子、核酸、アミノ酸、及びタンパク質が挙げられる。典型的には、有機小分子は分子量が５００ダルトン未満であり、一方、有機巨大分子は５００ダルトンを超える。マトリクス妨害は、有機巨大分子が存在するときに一層激しくなることが多い。有機巨大分子が存在するときには、ＬＣＭＳ工程の前に前処理工程を含める必要があり得る。沈殿などの代表的な前処理工程が、以下に記載される。
【００１９】
バイオ医薬生成物はさらに賦形剤を含んでもよく、賦形剤としては、限定はされないが、緩衝液、酸、塩基、塩、可溶化剤、防腐剤、キレート剤、糖、アミノ酸、タンパク質及び溶媒が挙げられる。こうした成分の１つ、いくつか、又は全てが、バイオ医薬生成物中に存在し得る。全てではないにしろ、こうした要素の多くは、ある部分で抽出性物質の検出可能なシグナルのマトリクス妨害の一因となり、抽出性物質の検出前にバイオ医薬生成物から除去又は低減されるべきである。タンパク質の沈殿など、マトリクス妨害の一因となる所定量の成分を除去又は低減するための公知の方法を用いることができる。例えば、アセトンをタンパク質溶液に４対１の容量割合で添加してもよい。反応の１５分後、溶液は１０分間、１５，０００ＲＰＭで遠心し得る。次に、続く分析のために目的の分析物を含有する上清が取り出される。マトリクス妨害成分を低減又は除去するための方法は、以下に詳細に記載される新規の排流方法及びシステムを用いて実現することもできる。
【００２０】
生成過程において、バイオ医薬生成物には、それが接触している容器又はろ過装置から化学的化合物が抽出され得る。バイオ医薬生成物が接触している時間の長さ、容器又はろ過装置の温度処理及び接触が起きているときの温度、並びにバイオ医薬生成物中に存在する他の溶媒又は溶質が全て、バイオ医薬生成物中に存在し得る抽出性物質の量及び種類に影響する。抽出性物質は１つ又は複数の化学種を包含し、バイオ医薬生成物の生成中の様々な工程で発生し得る。例えば、バイオ医薬生成物から粒子及び微生物を除去したり、又はタンパク質を精製したりするためにフィルタ装置が使用される場合、抽出性物質は、バイオ医薬生成物がフィルタ装置を通過するときにろ過によって取り込まれ得る。フィルタの代表的な例としては、ポリフッ化ビニリデン（ＰＶＤＦ）微孔膜及びポリプロピレン（ＰＰ）支持膜、例えば、Ｍｉｌｌｉｐｏｒｅ（登録商標）Ｄｕｒａｐｏｒｅ（登録商標）フィルタ；ホウケイ酸ガラス繊維微孔膜及びポリプロピレン支持膜、例えば、Ｍｉｌｌｉｐｏｒｅ（登録商標）Ｌｉｆｅｇａｒｄ（登録商標）フィルタ；ポリプロピレン微孔膜及びポリプロピレン（ＰＰ）支持膜、例えば、Ｍｉｌｌｉｐｏｒｅ（登録商標）Ｐｏｌｙｇａｒｄ（登録商標）フィルタ；ポリテトラフルオロエチレン微孔膜及びポリプロピレン支持膜、例えば、Ｍｉｌｌｉｐｏｒｅ（登録商標）Ｏｐｔｉｃａｐ（登録商標）フィルタ；及び親水性ポリエーテルスルホン微孔膜及びポリプロピレン支持膜、例えば、Ｍｉｌｌｉｐｏｒｅ  Ｅｘｐｒｅｓｓ（登録商標）フィルタが挙げられる。
【００２１】
別の例において、薬物は、日常の保管中又は有効期間試験中にその容器の成分を抽出することがあり、それによって抽出性物質が混入することになり得る。代表的な例としては加工容器フィルムが挙げられ、そこでは、流体に接触する材料は超低密度ポリエチレン（ＵＬＤＰＥ）で作製され；気体遮断材はポリエチレンビニルアルコールコポリマー（ＥＶＯＨ）で作製され；及び外層はエチレン酢酸ビニル（ＥＶＡ）及びＵＬＤＰＥ、例えばＭｉｌｌｉｐｏｒｅ（登録商標）ＰｕｒｅＦｌｅｘ（登録商標）加工容器フィルムで作製される。Ｄｕｒａｐｏｒｅ（登録商標）、Ｌｉｆｅｇａｒｄ（登録商標）、Ｐｏｌｙｇａｒｄ（登録商標）、Ｏｐｔｉｃａｐ（登録商標）、Ｍｉｌｌｉｐｏｒｅ  Ｅｘｐｒｅｓｓ（登録商標）、ＰｕｒｅＦｌｅｘ（登録商標）及びＭｉｌｌｉｐｏｒｅ（登録商標）は、Ｍｉｌｌｉｐｏｒｅ  Ｃｏｒｐｏｒａｔｉｏｎ（Ｂｉｌｌｅｒｉｃａ，ＭＡ）の登録商標である。
【００２２】
バイオ医薬生成物中の抽出性物質を検出するための方法には、被験試料の質量スペクトルを基準試料と比較することが関わる。本明細書で使用されるとき、「基準試料」は、生成中に取り込まれる抽出性物質を一切含まないバイオ医薬生成物の試料であり、但しそこに標準抽出性物質が添加される。例えば、基準試料は、ろ過されていないバイオ医薬生成物の試料であってもよく、そこに標準抽出性物質が添加される。標準抽出性物質は、特定の容器又はフィルタ装置の使用を介してバイオ医薬生成物に取り込まれ得る抽出性物質の混合物である。生成物が接触する材料、例えばフィルタ装置についての標準抽出性物質プロファイルは、既に確立されている方法によって決定することができる。例えば、広範な条件下で（極端な温度、極端なｐＨ範囲、又は有機溶媒を含む反応性溶媒、長い抽出時間、及びオートクレーブサイクルの反復を含む）、生成プロセスの特定の構成要素、例えばフィルタ装置に対してモデルストリームアプローチを適用することができる。最適な溶媒は、試験されるバイオ医薬生成物中の溶媒を模倣して選択され得る。ほとんどのバイオ医薬生成物は水性媒体中に存在するため、多くの場合、水又は他の水性溶媒が最適な溶媒であり得る。このプロセスで見出された成分の分析から、バイオ医薬生成物の生成に使用される材料から抽出され得る、又は浸出し得る化学物質が示され、そのバイオ医薬生成物の抽出性物質プロファイルが提供され得る。標準抽出性物質は、こうした既知の成分を適当な濃度で含有し得る。
【００２３】
本明細書で使用されるとき、「被験試料」は、確認対象の抽出性物質を含有し得るバイオ医薬生成物である。例えば、バイオ医薬生成物のろ過は抽出性物質を取り込み得るため、適切な被験試料となり得る。
【００２４】
基準試料又は被験試料のいずれも、注入前に調製が実施され得る。１つの可能な調製は、試料の加熱又はドデシル硫酸ナトリウム（ＳＤＳ）の添加によって存在する任意のタンパク質を変性及び／又は沈殿させることを伴い得る。バイオ医薬生成物のなかには、固相抽出法によるか、又は溶液のｐＨ若しくはイオン強度を変化させることによって取り除くことのできる他の要素を含有し得るものもある。本発明の方法には、他の試料調製技術が用いられてもよい。モデル溶媒中の抽出性物質の濃度を分析するための一方法は、不揮発性残留物分析である。試料は、適切な濃度を実現するよう希釈してからＬＣＭＳに注入され得る。
【００２５】
基準試料及び被験試料は、個別に液体クロマトグラフィーを使用して分離される。移動相、固定相、流量、温度及び注入量は、その方法を展開する間に最適化されなければならない。ＬＣ分離後、試料溶離液は所定時間にわたり排液部に排流される。この排流プロセスにより、信頼性のあるデータを生成することができないなどの、試験方法の実行を妨げるマトリクス妨害を引き起こし得る成分が、除去又は低減される。マトリクス妨害は、試料が、極端なｐＨ値、高い塩濃度、反応性の化学成分、又は高濃度の非標的化合物を有することによって引き起こされる。以下の段落では、マトリクス妨害を引き起こし得る一般的な各種のバイオ医薬生成物成分について記載する。
【００２６】
バイオ医薬生成物の医薬品有効成分（ＡＰＩ）は、マトリクス妨害源である。ある状況において、ＡＰＩは標的抽出性物質より早い時点で溶離され、本明細書に記載されるとおりの排流方法を用いて排流することでＭＳから外すことができる。
【００２７】
マトリクス妨害によく見られる別の原因は、緩衝剤である。可能性のある緩衝剤を列挙すれば、限定はされないが、ＡＣＥＳ、酢酸塩、ＡＤＡ、水酸化アンモニウム、ＡＭＰ（２−アミノ−２−メチル−１−プロパノール）、ＡＭＰＤ（２−アミノ−２−メチル−１，３−プロパンジオール）、ＡＭＰＳＯ、ＢＥＳ、ＢＩＣＩＮＥ、ビストリス、ビストリスプロパン、ホウ酸塩、ＣＡＢＳ、カコジル酸塩、ＣＡＰＳ、ＣＡＰＳＯ、炭酸塩、ＣＨＥＳ、クエン酸塩、ＤＩＰＳＯ、ＥＰＰＳ、ＨＥＰＰＳ、エタノールアミン、ギ酸塩、グリシン、グリシルグリシン、ＨＥＰＢＳ、ＨＥＰＥＳ、ＨＥＰＰＳＯ、ヒスチジン、ヒドラジン、イミダゾール、リンゴ酸塩、マレイン酸塩、ＭＥＳ、メチルアミン、ＭＯＢＳ、ＭＯＰＳ、ＭＯＰＳＯ、リン酸塩、ピペラジン、ピペリジン、ＰＩＰＥＳ、ＰＯＰＳＯ、プロピオン酸塩、ピリジン、ピロリン酸塩、コハク酸塩、ＴＡＢＳ、ＴＡＰＳ、ＴＡＰＳＯ、タウリン（ＡＥＳ）、ＴＥＳ、トリシン、トリエタノールアミン、Ｔｒｉｚｍａが挙げられる。
【００２８】
塩は、検出にマトリクス妨害を導入し得る別のバイオ医薬生成物成分である。代表的な塩としては、限定はされないが、酢酸塩、ベンゼンスルホン酸塩、安息香酸塩、重炭酸塩、酒石酸水素塩、臭化物塩、エデト酸カルシウム、カンシル酸塩、炭酸塩、塩化物塩、クエン酸塩、二塩酸塩、エデト酸塩、エジシル酸塩、エストレート（ｅｓｔｏｌａｔｅ）、エシレート（ｅｓｙｌａｔｅ）、フマル酸塩、グリセプテート（ｇｌｙｃｅｐｔａｔｅ）、グルコン酸塩、グルタミン酸塩、グリコリルアルサニル酸塩（ｇｌｙｃｏｌｌｙｌａｒｓａｎｉｌａｔｅ）、ヘキシルレゾルシン酸塩、臭化水素酸塩、塩酸塩、ヒドロキシナフトエ酸塩、ヨウ化物塩、イセチオン酸塩、乳酸塩、ラクトビオン酸塩、リンゴ酸塩、マレイン酸塩、マンデル酸塩、メシル酸塩、メチルスルホン酸塩、ムチン酸塩、ナプシル酸塩、硝酸塩、パモ酸塩、パントテン酸塩、リン酸塩／二リン酸塩、ポリガラクツロン酸塩、サリチル酸塩、ステアリン酸塩、塩基性酢酸塩、コハク酸塩、硫酸塩、タンニン酸塩、酒石酸塩、テオクル酸塩、トシル化物塩、及びトリエトヨウ化物塩が挙げられる。アルカリ金属塩（特にナトリウム及びカリウム）、アルカリ土類金属塩（特にカルシウム及びマグネシウム）、アルミニウム塩及びアンモニウム塩、並びに生理学的に許容可能な有機塩基、例えば、トリメチルアミン、トリエチルアミン、モルホリン、ピリジン、ピペリジン、ピコリン、ジシクロヘキシルアミン、Ｎ，Ｎ’−ジベンジルエチレンジアミン、２−ヒドロキシエチルアミン、ビス−（２−ヒドロキシエチル）アミン、トリ−（２−ヒドロキシエチル）アミン、プロカイン、ジベンジルピペリジン、デヒドロアビエチルアミン、Ｎ，Ｎ’−ビスデヒドロアビエチルアミン、グルカミン、Ｎ−メチルグルカミン、コリジン、キニーネ、キノリン、並びにリジン及びアルギニンなどの塩基性アミノ酸から得られる塩もまた挙げられる。
【００２９】
有効期間を長くするため、バイオ医薬生成物には防腐剤が添加されることが多い。代表的なものを列挙すれば、限定はされないが、アスコルビン酸、安息香酸、ベンジルアルコール、塩化ベンジルアルコニウム（ｂｅｎｚｙｌａｌｋｏｎｉｕｍ  ｃｈｌｏｒｉｄｅ）、エリソルビン酸、プロピオン酸、ソルビン酸、チオジプロピオン酸、パルミチン酸アスコルビル、ブチル化ヒドロキシアニソール、ブチル化ヒドロキシトルエン、アスコルビン酸カルシウム、プロピオン酸カルシウム、ソルビン酸カルシウム、チオジプロピオン酸ジラウリル、グアヤク脂、メチルパラベン、メタ重亜硫酸塩、ｍ−クレゾール、パラベン、亜硫酸水素カリウム、メタ重亜硫酸カリウム、ソルビン酸カリウム、没食子酸プロピル、プロピルパラベン、アスコルビン酸ナトリウム、安息香酸ナトリウム、亜硫酸水素ナトリウム、メタ重亜硫酸ナトリウム、プロピオン酸ナトリウム、ソルビン酸ナトリウム、亜硫酸ナトリウム、塩化第一スズ、二酸化硫黄、トコフェロールが挙げられる。
【００３０】
ＡＰＩを溶解し、その溶解を維持するため、バイオ医薬生成物に可溶化剤を添加することができるが、こうした可溶化剤もまた、マトリクス妨害を引き起こし得る。ＰＥＧ、Ｔｗｅｅｎ、ＣＭＣ、及びＳＤＳは、全てが可溶化剤として用いられる可能性のある薬剤である。
【００３１】
キレート剤もまた、マトリクス妨害源となることがあり、限定はされないが、クエン酸、酒石酸、酢酸カルシウム、塩化カルシウム、クエン酸カルシウム、二酢酸カルシウム、グルコン酸カルシウム、ヘキサメタリン酸カルシウム、リン酸二水素カルシウム、フィチン酸カルシウム、リン酸二カリウム、リン酸二ナトリウム、クエン酸イソプロピル、リンゴ酸、クエン酸モノイソプロピル、クエン酸カリウム、クエン酸ナトリウム、二酢酸ナトリウム、グルコン酸ナトリウム、ヘキサメタリン酸ナトリウム、メタリン酸ナトリウム、リン酸ナトリウム、ピロリン酸ナトリウム、ピロリン酸四ナトリウム、酒石酸ナトリウム、酒石酸ナトリウムカリウム、チオ硫酸ナトリウム、トリポリリン酸ナトリウム、クエン酸ステアリル、及びエチレンジアミンテトラ酢酸四ナトリウムが挙げられる。
【００３２】
ｐＨを調節したり、又は効力を高めたりするため、バイオ医薬生成物には酸及び塩基が添加されることが多く、しかしその存在は、マトリクス妨害源となる。代表的な酸としては、硝酸、塩酸、硫酸、過塩素酸、臭化水素酸、ヨウ化水素酸、酢酸、アスコルビン酸、ホウ酸、ブタン酸、炭酸、クエン酸、ギ酸、ヘプタン酸、ヘキサン酸、シアン化水素酸、フッ化水素酸、乳酸、亜硝酸、オクタン酸、シュウ酸、ペンタン酸、リン酸、プロパン酸、亜硫酸、及び尿酸が挙げられる。代表的な塩基としては、水酸化リチウム、水酸化ナトリウム、水酸化カリウム、水酸化マグネシウム、水酸化カルシウム、アラニン、アンモニア、ジメチルアミン、エチルアミン、グリシン、ヒドラジン、メチルアミン、及びトリメチルアミンが挙げられる。
【００３３】
グルコース（デキストロース）、フルクトース、ガラクトース、リボース、スクロース、ラクトース、マルトース、トレハロース、セロビオース、アラビトール、エリスリトール、グリセロール、イソマルト、ラクチトール、マルチトール、マンニトール、ソルビトール、及びキシリトールを含む糖、アルブミンなどのタンパク質、並びにペプチドは、全てマトリクス妨害源となり得る。
【００３４】
賦形剤として用いられるアミノ酸の例は、Ｌ−ヒスチジンである。
【００３５】
賦形剤として用いられるタンパク質の例は、ウシ血清アルブミン（ＢＳＡ）である。
【００３６】
試料溶離液の排流には、本方法における液体クロマトグラフィー工程の直後に、試料を質量分析器から外して誘導することが関わる。排流プロセスは、先行実験の測定に基づき、予め設定した時間にわたり継続され得る。試料は、標準物質の最初の抽出性物質についての既知の滞留時間の直前まで排流されなければならない。排流時間は、試験されるバイオ医薬生成物の成分、存在する可能性のある抽出性物質の性質、及び分析方法に依存する。
【００３７】
排流工程の後、残りの基準試料が質量分析器によって処理され、基準質量スペクトルが得られる。基準質量スペクトルは、基準試料、すなわち、本来はバイオ医薬生成物の生成による抽出性物質を一切含有しない試料についてのｍ／ｚ（質量電荷比）に対する強度のプロットである。基準質量スペクトルに見られるイオンは、ＬＣＭＳへの注入前に基準試料に添加された標準抽出性物質によるものである。
【００３８】
同様に、残りの被験試料が質量分析器によって処理され、被験質量スペクトルが得られる。被験質量スペクトルは、被験試料、すなわち、容器又はろ過装置と接触し、従って抽出性物質を含有し得るバイオ医薬生成物についてのｍ／ｚ（質量電荷比）に対する強度のプロットである。被験試料の質量スペクトルを基準試料の質量スペクトルと比較することにより、被験試料中のろ過抽出性物質の存在又は不在が検出される。被験質量スペクトル中にイオンが存在する場合には、それは、バイオ医薬生成物の生成中に材料から浸出した抽出性物質によるものである。
【００３９】
試料のＬＣクロマトグラム又は質量スペクトルにピークが現れることで、抽出性物質の存在が示される。抽出性物質の検出は、ＬＣクロマトグラム又は質量スペクトルのいずれかにピークの存在を見つけることによって達成される。被験質量スペクトルと基準試料の質量スペクトルとの比較から、被験試料中の抽出性物質の存在又は不在が示される。基準質量スペクトル及び被験質量スペクトルの双方に現れるピークは、バイオ医薬生成物中のそのろ過抽出性物質の存在を示しているものと解釈される。基準質量スペクトルだけに現れ、被験質量スペクトルには現れないピークは、バイオ医薬生成物中にそのろ過抽出性物質がないことを示しているものと解釈される。
【００４０】
この方法の別の実施形態は、バイオ医薬生成物中に全ての抽出性物質が存在する時点における濃度とともに、異なるろ過抽出性物質を定量するか、又はその数を決定することである。定量工程は、ＬＣクロマトグラムにおけるピーク高さの計測を含み得る。
【００４１】
本発明の実施形態に従えば、液体クロマトグラフィー排流装置、及び液体クロマトグラフィーから得られる液体を排流する方法が提供され、これは、質量分析法によって分析される試料中にある妨害化合物の存在を低減するのに役立つ。本発明に係るこのような実施形態により、質量分光分析において抽出性物質のピークをマスキングし得る妨害化合物の存在が低減されることで、使用者は薬物又はバイオ医薬生成物中のろ過抽出性物質を検出することが可能となる。
【００４２】
本発明の実施形態に係る液体クロマトグラフィー排流装置を説明するため、初めに、同様の状況下における従来の注入バルブの使用について記載する。従来の注入バルブは、「排液」設定と「供給」設定との間で切り換えることができ、それによって注入バルブのポート間における液体のフローパターンが変わる。
【００４３】
図１Ａは、液体クロマトグラフィー／質量分析技法において従来の注入バルブが使用されるときの液体のフローパターンの概略図であり、注入バルブは「排液」設定となっている。分析される液体はポンプ１０１からオートサンプラー１０２に流入し、そこから液体クロマトグラフィーカラム１０３に至る。液体が液体クロマトグラフィーカラム１０３を通過した後、液体クロマトグラフィー溶離液１０４は従来の６ポート注入バルブの第１のポート１０５に入る。溶離液１０４は、薬物又はバイオ医薬生成物中の検出対象であるろ過抽出性物質、並びにそうした抽出性物質の測定を妨害する化合物を含む。従来の６ポート注入バルブが「排液」設定のとき、溶離液はバルブの第１のポート１０５から第２のポート１０６に直接流れ、そこから直接、質量分析器１１１に至る。その一方、シリンジポンプ１１２からバルブの（６ポート注入バルブの周りに反時計回りに数えて）第５のポート１０９に校正液が流れる。校正液は次に第６のポート１１０に流れ、そこから、６ポートバルブの第６のポート１１０と第３のポート１０７との間に連続フローをなす関係で位置するフローループ１１３を通る。校正液は第３のポート１０７から第４のポート１０８に進み、そこから排液部１１４に至る。
【００４４】
図１Ｂは、図１Ａの従来の注入バルブが「供給」設定に切り換えられたときの液体のフローパターンの概略図である。図１Ａと同じく、液体は最初はポンプ１０１からオートサンプラー１０２に流れ、液体クロマトグラフィーカラム１０３を通ると溶離液１０４を生じ、その溶離液１０４が第１のポート１０５に導入される。６ポートバルブが「供給」設定のとき、溶離液１０４は次に第６のポート１１０に送り込まれ、フローループ１１３を通って第３のポート１０７に至る。図１Ａの「排液」設定でフローループ１１３には既に校正液が入っているため、溶離液がフローループ１１３の中を流れるとき、いくらかの校正液が溶離液と共に押し流される。溶離液はその後、第３のポート１０７から第２のポート１０６に流れ、次に直接、質量分析器１１１に至る。溶離液と共にいくらかの校正液が運ばれるため、溶離液と共に校正液が質量分析器１１１に導入され、質量校正が可能となる。その一方、シリンジポンプ１１２から入ってくる校正液は第５のポート１０９に送られ、そこから第４のポート１０８を介して排液部１１４に至る。
【００４５】
図１Ａ及び図１Ｂのとおり従来の６ポート注入バルブを使用するとき、バルブは図１Ａの「排液」設定と図１Ｂの「供給」設定との間を、取得方法の時間セグメントによって切り換えることができる。しかしながら、従来の６ポート注入バルブの双方の設定において、液体クロマトグラフィー溶離液１０４は連続的に質量分析器１１１に導入されるため、溶離液１０４と共に、質量分光分析を妨害するか、又は質量分光分析と適合しない化合物が運ばれる。従って、図１Ａ及び図１Ｂの従来の６ポート注入バルブを使用して薬物試料中のろ過抽出性物質の存在を正確に検出及び測定することは、困難である。
【００４６】
対照的に、図２Ａは、本発明の実施形態に係る液体クロマトグラフィー排流装置を通じた液体のフローパターンの概略図であり、排流装置は「排液」設定となっている。図１Ａ及び図１Ｂの従来の６ポート注入バルブと異なり、図２Ａ及び図２Ｂの排流装置はフローループ２１５が６ポート注入バルブの隣接したポート間に含まれ、液体クロマトグラフィー溶離液２０４が、質量分析器２１１につながるポート２０６と排液部２１４につながるポート２０８との双方に隣接するポート２０７に導入される。「排液」設定では、校正液はシリンジポンプ２１２から６ポート注入バルブの第５のポート２０９に流入し、そこから第６のポート２１０に至る。次に校正液は、隣接し合う第６のポート２１０と第１のポート２０５との間にある追加的なフローループ２１５を用いて第１のポート２０５に流入する。そこから、校正液は第２のポート２０５に送られ、質量分析器２１１に至る。その一方、液体クロマトグラフィーカラム２０３からの溶離液２０４は第３のポート２０７から排流装置に入って第４のポート２０８に送られ、そこから排液部２１４に送られる。そのため、図２Ａの実施形態の排流装置を用いると、「排液」設定では、液体クロマトグラフィーカラムからの溶離液２０４は全て排液部２１４に流れる。従って、「排液」設定では、溶離液２０４中に存在する全ての妨害化合物が、同じく溶離液と共に排液部２１４に送られ；一方、質量分析器２１１が受け取るのは校正液のみである。
【００４７】
図２Ｂは、本発明の実施形態に係る液体クロマトグラフィー排流装置を通じた液体のフローパターンの概略図であり、排流装置は「供給」設定となっている。ここでは、液体クロマトグラフィーカラム２０３から発生する溶離液２０４は、第３のポート２０７に入って第２のポート２０６に送られ、そこから直接、質量分析器２１１に導かれることで、溶離液中のろ過抽出性物質の分析が可能となる。第５のポート２０９と第６のポート２１０との間の流路と同じく、第１のポート２０５と第２のポート２０６との間の流路は遮断されているため、第６のポート２１０から第１のポート２０５へのフローによって、フローループ２１５を伴う、閉じたループが形成される。その一方、シリンジポンプ２１２から流れる校正液は、第５のポート２０９から第４のポート２０８に送られ、そこから排液部２１４に至る。
【００４８】
図２Ａ及び図２Ｂの実施形態の排流装置を使用するとき、バルブは図２Ａの「排液」設定と図２Ｂの「供給」設定との間を、取得方法における時間セグメントによって切り換えることができる。しかしながら、図１Ａ及び図１Ｂの従来のバルブを使用した技術と異なり、図２Ａ及び図２Ｂの実施形態は、「排液」設定で液体クロマトグラフィー溶離液２０４を全て排液部に送り；次に「供給」設定で全て質量分析器に送ることができる。このようにして、図２Ａ及び図２Ｂの排流装置は、所定時間、例えば、液体クロマトグラフィー溶離液が流れる最初の１０分間にわたって「排液」設定に切り換えられてもよい−この時間内に、ろ過抽出性物質の質量分析測定を妨害するか、又はそれと適合しないほとんど、又はほぼ全ての化合物が溶離される。次に、ほとんど、又はほぼ全ての妨害化合物が溶離され、排液部に送られたら、図２Ａ及び図２Ｂの排流装置は「供給」設定に切り換えられてもよく、それによって液体クロマトグラフィー溶離液は質量分析器に直接流され、妨害化合物に妨げられることなくろ過抽出性物質を測定することが可能となる。従って、図２Ａ及び図２Ｂの液体クロマトグラフィー排流装置によれば、薬物又はバイオ医薬試料中のろ過抽出性物質の存在をより正確に検出及び測定することが可能となる。
【００４９】
図２Ａ及び図２Ｂの実施形態に従えば、排流装置が「排液」モードにあり、液体クロマトグラフィー溶離液が排液部に直接送られる間の所定時間は、妨害化合物のほとんどが溶離される時点を、標的ろ過抽出性物質が溶離される時点と比較して分析することにより、決定されてもよい。例えば、ある初期設定時間にわたり妨害化合物の質量分析ピークが観測され、続いてろ過抽出性物質のピークの出現が観測され得る。理想的には、排流装置は、目的とする最初の標的ろ過抽出性化合物の特徴が液体クロマトグラフィー溶離液に現れる前の可能な限り遅い時点で、「排液」から「供給」に切り換えられるべきである。上述のとおり、１０分間が、排流装置の「排液」設定を使用する際に有用な初期設定時間の一例であるが、ろ過材料の性質、抽出性化合物、妨害化合物、薬物生成物の要素及び他の要因に応じて、他の設定時間が用いられてもよい。概して、溶離液の排流は、マトリクス妨害を引き起こす夾雑物が、抽出性物質の検出において所望の精度を実現するのに十分な程度に除去されるまでの時間にわたり行わなければならない。
【００５０】
本発明の実施形態に従えば、図２Ａ及び図２Ｂの排流装置で使用される６ポート注入バルブは、例えば、Ｂｒｕｋｅｒ  Ｄａｌｔｏｎｉｃｓ  Ｉｎｃ．（Ｂｉｌｌｅｒｉｃａ，ＭＡ）から入手可能な６ポート注入バルブに基づき、フローループ２１５を追加して本発明に係る実施形態のフローパターンを使用するように改造し得る。校正液は、例えば、毎分２〜１０マイクロリットルの流量で流れる。質量分析器２１１は、例えば、Ｂｒｕｋｅｒ  Ｄａｌｔｏｎｉｃｓ  Ｉｎｃ．（Ｂｉｌｌｅｒｉｃａ，ＭＡ）から入手可能なｍｉｃｒＯＴＯＦ質量分析システムであってもよい。
【実施例】
【００５１】
実施例１：ろ過抽出性物質の単離及び検出
１２６℃で６０分間のオートクレーブサイクルの後、１０インチ、０．２２μｍのＤｕｒａｐｏｒｅ（登録商標）フィルタを、周囲温度で２４時間にわたりＭｉｌｌｉ−Ｑ（登録商標）水の中に抽出させた。Ｄｕｒａｐｏｒｅ（登録商標）及びＭｉｌｌｉ−Ｑ（登録商標）は、Ｍｉｌｌｉｐｏｒｅ  Ｃｏｒｐｏｒａｔｉｏｎ（Ｂｉｌｌｅｒｉｃａ，ＭＡ）の登録商標である。同じ条件下、フィルタなしにＭｉｌｌｉ−Ｑ（登録商標）水を使用して対照を調製した。次に不揮発性残留物分析によって溶液を分析し、Ｍｉｌｌｉ−Ｑ（登録商標）水を使用して１０倍希釈した後、ＬＣＭＳに注入した。
【００５２】
図３には、抽出性物質（赤色）及び対照（緑色）の基準ピーククロマトグラムを示す。対照と比較したとき、抽出性物質は、Ｄｕｒａｐｏｒｅ（登録商標）フィルタに固有の２つのピークを含むことが分かった。図３のクロマトグラムに見られる２つのピークの原因となる種の質量スペクトルが、図４に示される。Ｍ／Ｚ３２９及び３５７におけるピークは、ろ過抽出性物質に由来することが分かっている化合物に相当する。これらのピークを、膜の製造過程で使用されるフェノール系の抗酸化剤であると仮に同定した。これらの化合物は極めて低濃度でしか存在しないため、それらの存在を検出するにはＬＣＭＳが最良の態様を提供する。
【００５３】
実施例２及び３−バイオ医薬生成物におけるろ過抽出性物質の単離及び検出
薬物生成物にｐｐｍレベルの標準抽出性物質をスパイクした。巨大分子の適用例では、バイオ医薬生成物からアミノ酸又はタンパク質を沈殿させ、次に試料がＬＣＭＳに注入される。同時に、スパイクなしの薬物生成物を同じように調製した後、注入した。
【００５４】
標準抽出性物質、薬物生成物及び標準抽出性物質をスパイクした小分子ベースの薬物生成物のクロマトグラムを並べ合わせたもの（図５：小分子；図６：巨大分子）。これらの結果から、マトリクスの抑制にもかかわらず、スパイクした試料中の薬物要素の存在下に抽出性物質を検出することができたことが実証された。この方法を広範なバイオ医薬成分に適用したところ、ほとんどの適用例について高感度且つロバストであることが示された。本方法により、抽出性物質の存在又は不在をバイオ医薬生成物中で直接検証することが初めて可能となった。対照的に、従来の方法のいずれによっても、かかる検出は不可能である。
【００５５】
本発明は、特にその例示的実施形態を参照して示され、説明されているが、当業者は、添付の特許請求の範囲によって包含される本発明の範囲から逸脱することなく、それらに様々な形態及び詳細の変更が加えられ得ることを理解するであろう。
【図１Ａ】
2010537196.tif 000003
【図１Ｂ】
2010537196.tif 000004
【図２Ａ】
2010537196.tif 000005
【図２Ｂ】
2010537196.tif 000006
【図３】
2010537196.tif 000007
【図４】
2010537196.tif 000008
【図５】
2010537196.tif 000009
【図６】
2010537196.tif 000010
【国際調査報告】
2010537196.tif 000011
2010537196.tif 000012
2010537196.tif 000013